(57)【特許請求の範囲】
【請求項１】
コイル状のファスナーエレメント列(ER)を構成する合成樹脂製のモノフィラメントを、ファスナーテープ(T) の織成と同時に、その一側縁部に沿ってエレメント(E) を成形すると共に固定用経糸(2〜5,7,8,10〜13) により各エレメントE の上脚部(L-1) を上から固定しながらファスナーテープ(T) に順次一体に織り込んでなる織り込みスライドファスナーにあって、
ファスナーエレメント列(ER)の上脚部(L-1) を跨いで走行する複数のエレメント固定用経糸(2〜5,7,8,10〜13) のうち１本以上の固定用経糸が、隣り合うエレメント(E) の下脚部(L-2) の下側を走行するダブルピックの地緯糸(21)と一緒に併走して、他のエレメント固定用経糸及び地経糸(14 〜20) に交絡しながらファスナーテープ主体部(TB)を横切って織り込まれてなり、
前記ファスナーテープ主体部(TB)を横切って地緯糸(21)と共に緯糸方向に織り込まれる前記エレメント固定用経糸が、前記エレメント列(ER)の上脚部(L-1) を跨いで走行する複数のエレメント固定用経糸(2〜5,7,8,10〜13) のうち連結部(J) に最も近く配される固定用経糸(13)であることを特徴とする織り込みスライドファスナー。
【請求項２】
前記ファスナーテープ主体部(TB)を横切って地緯糸(21)と共に緯糸方向に織り込まれる前記エレメント固定用経糸が、前記エレメント列(ER)の上脚部(L-1) を跨いで走行する複数のエレメント固定用経糸(2〜5,7,8,10〜13) のうち噛合頭部(H) に最も近く配される固定用経糸(2) を含んでなる請求項１記載の織り込みスライドファスナー。
【請求項３】
前記固定用経糸(2,13)の一方の固定用経糸(2,13)と他方の固定用経糸(13,2)とが、それぞれエレメント１個分ずれて各エレメント上に配されてなる請求項２記載の織り込みスライドファスナー。
【発明の詳細な説明】
【０００１】
【発明の属する技術分野】
本発明は、ファスナーテープの織成と同時に、合成樹脂製のモノフィラメントからなるコイル状エレメント列を前記ファスナーテープの一側縁に沿って織り込んでなる織り込みスライドファスナーに関し、特に前記コイル状エレメント列がファスナーテープの幅方向にずれて動くことがなく、安定した固定形態が得られる織り込みスライドファスナーに関する。
【０００２】
ここで、本明細書において「コイル状エレメント列」とは、噛合頭部の上下端部から略平行に延びる上脚部と下脚部をもち、隣り合うエレメント単位の上脚部と下脚部とが連結部を介して略Ｕ字状に順次連結された多数のエレメント単位からなる全体を指している。また、本明細書にあって前記エレメント単位を単に「エレメント」と呼んでいる。
【０００３】
【従来の技術】
ファスナーテープの織成と同時に、コイル状のファスナーエレメント列を構成する合成樹脂製のモノフィラメントをファスナーテープの長手方向の一側縁部上にダブルピックで緯入れすると共に、この緯入れのときエレメント形態に成形されるファスナーエレメント列は、その各エレメントの上脚部の上側を跨ぎ、隣接するエレメントの下脚部の下側のファスナーテープの地組織に緯糸と交絡しながら織り込まれる複数のエレメント固定用経糸により、ファスナーテープと一体化する。このようにファスナーエレメント列がファスナーテープに織り込まれて固定される織り込みスライドファスナーにあって、その固定用経糸の織り構造は、従来から多種類におよぶ。ここでは、本発明にも一部に適用が可能な従来の代表的なエレメント固定用経糸とファスナーテープの地組織とによる織り構造を２種類挙げるが、ここに挙げる織り構造に限定されるものではないことは理解できよう。
【０００４】
特公平２−１７１６１号公報によれば、ファスナーエレメント列の構成素材である合成樹脂製のモノフィラメントを、ファスナーテープ織成時における地組織の緯入れと同時に、ファスナーテープの長手方向の一側縁部上にダブルピックで緯入れして、ファスナーエレメントの形態に成形しつつファスナーテープに織り込まれるファスナーエレメント列は、その各エレメント上脚部上側に配された複数のエレメント固定用経糸によって固定一体化される。ここで、ファスナーテープの地組織を構成する緯糸はファスナーエレメント列の各エレメント下脚部の下側に存在し、各エレメント上脚部の上側に跨がって配されるエレメント固定用経糸は主として隣接するエレメント下脚部下側に配される緯糸と交絡させるだけの織り構造となっている。
【０００５】
また、例えば特公昭６３−５３８０２号公報、或いは実公平７−３１６８７号公報でも、上記公報と同様にファスナーエレメント列の構成素材である合成樹脂製のモノフィラメントを、ファスナーテープ織成時における地組織の緯入れと同時に、ファスナーテープの長手方向の一側縁部上にダブルピックで緯入れして、ファスナーエレメントの形態に成形しつつファスナーテープに織り込まれるファスナーエレメント列は、その各エレメント上脚部上側に配された複数のエレメント固定用経糸によって固定一体化される織り構造が開示されている。ただし、この公報によれば、ファスナーテープの構成糸である緯糸は各エレメントの下脚部の下側だけでなく、隣接する２個のエレメント間において、各エレメントの上脚部上側を跨いで走行する複数のエレメント固定用経糸の上側に緯入れして地組織を構成し、前記緯糸により前記エレメント固定用経糸を各エレメント間で上下に絞るような織り構造を採用している。
【０００６】
【発明が解決しようとする課題】
しかして、上記特公平２−１７１６１号公報に開示されたファスナーエレメント列の固定用織り構造によれば、ファスナーエレメント列の各エレメント上脚部上側に配されたエレメント固定用経糸はエレメント上脚部上側にてファスナーの幅横方向にずれやすく、特に、各エレメント上脚部の上側の噛合頭部寄りに配されるエレメント固定用経糸は噛合頭部より脱落しやすく、ファスナーエレメント列のファスナーテープに対する織り込みによる固定姿勢が不安定化し、スライドファスナーの使用中に噛合割れが生じてスライドファスナーとしての機能を損なうという課題が残る。
【０００７】
一方、上記特公昭６３−５３８０２号公報、或いは実公平７−３１６８７号公報に開示されたファスナーエレメント列の固定用織り構造によれば、前記織り構造と比較すると、各エレメントの上脚部の上側に配されたエレメント固定用経糸はエレメントの上脚部の上側においてファスナーテープの幅方向のずれが防止され、織り込みによる固定姿勢は安定するが、隣接する２個のエレメント間において、緯糸の締付けに伴う経緯糸共にその織り構造が緻密化され、柔軟性のない製品となりやすい。
【０００８】
また、スライダーの摺動による相対するファスナーエレメント列の噛合に際しては、図６に示すように、スライダーＳ内において隣り合う２個の噛合頭部の間が一時的に拡開されて、相手側の噛合頭部を受け入れる必要がある。前記特公昭６３−５３８０２号公報、或いは実公平７−３１６８７号公報に開示されたファスナーエレメント列の固定用織り構造では、このような噛合頭部間の拡開が容易でなく噛合が円滑になされず、スライダーの摺動を重くするという問題点があり、更には緯糸のダブルピック緯入れがファスナーエレメント列の各エレメント下脚部の下側だけでなく、隣接する２個のエレメント間においてもなされるため、通常のピック数の２倍となり高速化が難しく、生産性が低いという課題がある。
【０００９】
そこで、本発明は上述の課題を解決することを目的としており、具体的には生産性を低下させることなく、エレメント固定用経糸のファスナーテープの幅方向のずれが生じることなく、しかも柔軟性と楽なスライダー操作が確保される固定形態の安定した織り込みスライドファスナーを提供することを目的としている。
【００１０】
【課題を解決するための手段及び作用効果】
かかる目的は、本件請求項１〜請求項３に係る発明により達成される。
請求項１に係る発明は、コイル状のファスナーエレメント列を構成する合成樹脂製のモノフィラメントを、ファスナーテープの織成と同時に、その一側縁部に沿ってエレメントを成形すると共に固定用経糸により各エレメントの上脚部を上から固定しながらファスナーテープに順次一体に織り込んでなる織り込みスライドファスナーにあって、ファスナーエレメント列の上脚部を跨いで走行する複数のエレメント固定用経糸のうち１本以上の固定用経糸が、隣り合うエレメントの下脚部の下側を走行するダブルピックの地緯糸と一緒に併走して、他のエレメント固定用経糸及び地経糸に交絡しながらファスナーテープ主体部を横切って織り込まれ、前記ファスナーテープ主体部を横切って地緯糸と共に緯糸方向に織り込まれる前記エレメント固定用経糸が、前記エレメント列の上脚部を跨いで走行する複数のエレメント固定用経糸のうち連結部に最も近く配される固定用経糸であることを特徴としている。
【００１１】
本発明の基本的な技術的思想は、エレメントの上脚部を跨いで地組織に織り込まれる複数本のエレメント固定用経糸のうち少なくとも１本以上を、エレメントの上脚部を跨いだのち緯糸方向（テープ幅方向）に折り曲げ、エレメントの下側でダブルピックをもって織り込まれる地緯糸と一緒に他のエレメント固定用経糸及び地経糸と交絡させながら、テープ主体部を横切って織り込むことにある。かかる構成により、エレメント固定用経糸の一部が他のエレメント固定用経糸をテープ主体部を横切るようにして地組織に織り込まれるため、エレメントを強固に固定すると共に、エレメント固定用経糸とエレメントとのテープ幅方向に対する相対的なずれを阻止し、テープに固定されたエレメントの姿勢を安定化させ、同時にエレメント固定用経糸がエレメントの噛合頭部から抜け出ることをも阻止する。
【００１２】
更には、前記エレメント固定用経糸は、この種の織り込みスライドファスナーにあって、通常使用される本数と太さであって、これらの他にエレメントの固定用として格別な糸条を使用することなく、前述の作用効果が得られるばかりでなく、エレメントの噛合時における隣り合うエレメント間の一時的な拡開を確実にするため、スライドファスナーの柔軟性を確保し、その閉鎖操作をより円滑に且つ確実に行えるようにして、噛合割れなどの不具合を生じないようにしている。
【００１３】
この発明にあっては、更に前記ファスナーテープ主体部を横切って地緯糸と共に織り込まれる前記エレメント固定用経糸が、前記エレメント列の連結部に最も近く配される固定用経糸であることを規定している。この場合には、前記エレメント固定用経糸をエレメント列の連結部側でエレメントを固定すると同時に、テープ幅方向に地緯糸と一緒に織り込むため、エレメント全体をその連結部においてテープと一体化させることになり、エレメントを安定的にファスナーテープ上に固定できる。
【００１４】
請求項２に係る発明は、請求項１に加えて、前記ファスナーテープ主体部を横切って地緯糸と共に緯糸方向に織り込まれる前記エレメント固定用経糸が、前記エレメント列の上脚部を跨いで走行する複数のエレメント固定用経糸のうち噛合頭部に最も近く配される固定用経糸を含んでいる。この場合には、特にエレメント固定用経糸の全てがエレメントの脚部に沿ってずれることを効果的に阻止する。
【００１５】
請求項３に係る発明は、前記ファスナーテープ主体部を横切って地緯糸と共に緯糸方向に織り込まれる前記エレメント固定用経糸が、前記エレメント列の噛合頭部に最も近く配された固定用経糸及び前記エレメント列の連結部に最も近く配された固定用経糸の双方であり、一方の固定用経糸と他方の固定用経糸とが、それぞれエレメント１個分ずれて各エレメント上に配されている。かかる構成を備えた本発明に係る織り込みスライドファスナーは、ファスナーテープの形態に緯方の筋が入ることになるが、スライドファスナーとしての長さ方向の柔軟性がより確保されるため、その用途によってはかかる織り構造にすることが好ましく、最も好ましい態様の一つである。
【００１６】
【発明の実施形態】
以下、本発明の好適な実施の形態を図示実施例に基づいて具体的に説明する。
図１は本発明の代表的な実施例である片側のファスナーストリンガーの一部を示す平面図であり、ファスナーテープ主体部の中間部位は省略している。図２は図１に示した製品の部分斜視図である。
【００１７】
なお、これらの図は特に理解の便を図って、各種の緯糸、経糸を相対的に細く示し、また織込み構造（組織）を粗く示しているが、実際にはファスナーとしての機能を考慮し、各種の緯糸、経糸は所要の太さの糸条を使用し、また、織込み構造（組織）も緻密な状態にあり、ファスナーとしての機能を発揮し得る構造となっている。
【００１８】
ここに示す実施例は、コイル状のファスナーエレメント列の構成材料である合成樹脂製のモノフィラメントを、ファスナーテープＴの地組織のダブルピックによる緯入れと同時に、ファスナーテープＴの長手方向の一側縁部上にダブルピックにより緯入れして、各エレメントＥを成形すると共にファスナーテープＴに一体に織り込んで製造される織り込みスライドファスナーである。
【００１９】
ファスナーエレメント列ＥＲはファスナーテープ面にほぼ垂直に配される噛合頭部Ｈと、同噛合頭部Ｈの上下端より、ファスナーテープＴのテープ幅方向に延び、且つファスナーテープ面にほぼ垂直方向に互いに重なり合っている上下脚部Ｌ−１，Ｌ−２よりなるエレメントＥと、隣り合う２個のエレメントＥを連結する連結部Ｊとからなる。
【００２０】
ファスナーテープＴは多数の地経糸１，６，９，１４〜２０と、これらの地経糸１，６，９，１４〜２０に交絡しながらダブルピックで緯入れされた地緯糸２１とからなり、上述したように合成樹脂製のモノフィラメントの緯入れが地緯糸２１の緯入れと同時に行われる関係から、ダブルピックの地緯糸２１はファスナーエレメント列ＥＲの各エレメント下脚部Ｌ−２の下側にのみ存在することになる。
【００２１】
ファスナーエレメント列ＥＲを固定するためのエレメント固定用経糸２〜５，７，８，１０〜１３は、ファスナーテープＴの一側縁部に沿って配された上記地経糸１，６，９，１４とは別に同ファスナーテープＴの一側縁部に沿って配され、各エレメントＥの噛合頭部寄りから、その反対側の連結部寄りに至る上脚部Ｌ−１の上側を跨いでおり、図示のごとく配された第１、第２、第３の各エレメント固定用経糸２；３，４，５，７，８；１０〜１３に分けられる。
【００２２】
最も噛合頭部寄りと連結部寄りに配される第１エレメント固定用経糸２及び第３エレメント固定用糸１３を除く、他の第２、第３の各エレメント固定用経糸３，４，５，７，８；１０〜１２のそれぞれは、後述するようにファスナーテープＴの主体部ＴＢ側をエレメント上脚部Ｌ−１を跨いで地緯糸２１と交絡しながら、それぞれが直線的に走行し、ファスナーエレメント列ＥＲを織り込んで固定する。
【００２３】
一方、本実施例によれば、前記エレメントＥの連結部Ｊに最も近い位置を走行する第３エレメント固定糸１３は、上記エレメントＥの噛合頭部Ｈに最も近い端部を走行する第１エレメント固定用経糸２が上脚部Ｌ−１の上側を跨ぐエレメントＥの次位のエレメントＥの上脚部Ｌ−１の上側を跨いで走行し、その次のエレメントＥとの間を連結するエレメント連結部Ｊの部分でテープ幅方向に折り曲げられ、ダブルピックの地緯糸２１と共にテープＴの幅方向に走行している。
【００２４】
かかる構成により、エレメント連結部Ｊの近くでテープＴに対し強固に固定することができ、しかも図示せぬスライダーの側部ガイドフランジに対して円滑なガイド性も確保される。
【００２５】
また、噛合頭部寄りに配された上記第１エレメント固定用経糸２も、ファスナーエレメント列ＥＲの各エレメントＥの噛合頭部寄りの上脚部Ｌ−１の上側を跨いだのち、本発明の特徴の一部である地緯糸２１のダブルピックと併走して第２、第３の各エレメント固定用経糸４，５，７，８；１０〜１２に交絡しながらダブルピックにより緯入れがなされる。
【００２６】
すなわち、本実施例にあって、第１エレメント固定用経糸２は、１個のエレメントＥの上脚部Ｌ−１の上側の最も噛合頭部寄りの端部を跨ぎ、隣り合う２個のエレメントＥ間でそれぞれテープ幅方向に順次折れ曲り、ファスナーテープＴの主体部ＴＢの耳部に向けて地緯糸２１と共に併走し、同耳部にて折り返され、同じ開口部内を第２エレメント固定用経糸３，４，５，７，８のうち最も噛合頭部寄りの経糸４と交絡するまで戻る。
【００２７】
つまり、本実施例にあっては、前述のように順次折れ曲げられた第１エレメント固定用経糸２及び第３エレメント固定用経糸３は、ダブルピックによる緯入れ動作で、地緯糸２１と共に緯入れされて、第１エレメント固定用経糸２及びエレメント固定用経糸１３を除く第２及び第３のエレメント固定用経糸３，４，５，７，８；１０〜１２と交絡すると共に、多数の地経糸１，６，９，１４〜２０と交絡し、これを繰り返してファスナーストリンガーを構成する。
【００２８】
従って、第１エレメント固定用経糸２及び第３エレメント固定用経糸１３のテープ幅方向の走行は、ファスナーテープＴの織成時におけるダブルピックによる地緯糸２１の緯入れと共に行われるものであり、その結果、第１エレメント固定用経糸２及び第３エレメント固定用糸１３は図１及び図２に示すように、地緯糸２１と併走して上記地経糸６，９，１４〜２０に織り込まれることになる。このように第１エレメント固定用経糸２及び第３エレメント固定用糸１３の緯入れという工程を地緯糸２１の緯入れと一緒に行うためには、ニードル織機が適しており、しかも高速運転が可能となる。
【００２９】
第２及び第３エレメント固定用経糸３，４，５，７，８；１０〜１２は、図１及び図２に具体的に示すように、各エレメントＥの中間区域においてファスナーテープＴの長手方向に直線的に走行する５本と、各エレメントＥの連結部Ｊ側を同じく直線的に走行する３本とから構成される。なお、前記第１のエレメント固定用経糸をも含めて、これらのエレメント固定用経糸の使用本数や、またその経織り構造は、スライドファスナーの使用分野や他の構成部材との関係により任意に変更されるものであり、図示例に限定されるものではない。
【００３０】
図１及び図２に示す実施例によるその織り構造を詳しく説明すると、各第２エレメント固定用経糸３，４，５，７，８は隣り合う２個のエレメントＥの上脚部Ｌ−１をブリッジ状に跨いで走行し、次位にあるエレメントＥの下脚部Ｌ−２と、その下側に配されるダブルピックによる地緯糸２１との間を走行し、更にその次位にあるエレメントＥの下脚部Ｌ−２及びその下側に配されるダブルピックによる地緯糸２１の下側を走行し、隣り合う各第２エレメント固定用経糸３，４，５，７，８がエレメントＥの一個ずつエレメント列ＥＲ方向にずれて配される。
【００３１】
このようにして、５本の第２エレメント固定用経糸３，４，５，７，８は、前述の走行単位を互いにエレメントＥの１個分ずつ順次位置違いに配して、各エレメントＥをバランスよく固定しながらファスナーの長手方向に繰り返し走行する。すなわち、この実施例では、５本の第１エレメント固定用経糸３，４，５，７，８を、それぞれ位置をずらしながら隣り合う４個のエレメントＥに対して順次「高−高−中−低」の繰り返し（リピート）単位をなして走行させている。
【００３２】
この場合、第２のエレメント固定用経糸３，４，５，７，８による隣り合う２個のエレメントＥの上脚部Ｌ−１をブリッジ状に跨いで走行する「高−高」の部分は、隣り合う２個のエレメント間を所要寸法となるように作用し、「高−中−低」として走行する部分は、ダブルピックにより緯入れがなされる地緯糸２１と各エレメントＥとを密着固定させて、ファスナーエレメント列ＥＲをファスナーテープＴに対して一体的な織り込み固定を図っている。
【００３３】
各エレメントＥの連結部Ｊ寄りの区域をおいて走行するエレメント固定用経糸１３を除く３本の第３のエレメント固定用経糸１０〜１２は、図１及び図２に具体的に示すように、１個のエレメント上脚部Ｌ−１の上側を跨いで走行し、次位のエレメントＥの下脚部Ｌ−２の下側に配されるダブルピックによる地緯糸２の下側を走行し、これをファスナーストリンガーの長手方向に繰り返して走行する。すなわち、この実施例では、各第３のエレメント固定用経糸１０〜１２を、高−低の繰り返し（リピート）単位をなして走行する。そして、４本の第３エレメント固定用経糸１０〜１２のうち隣り合う２本の第３エレメント固定用経糸を互いにエレメントＥの１個分ずつ位置をファスナーストリンガーの長手方向にずらして、高−低を繰り返して走行させることにより、各エレメントＥの固定をバランスよく行っている。
【００３４】
なお、第１及び第３のエレメント固定糸２，１３を除く第２及び第３の各エレメント固定用経糸３，４，５，７，８及び１０〜１２は、既述したように図示実施例に限定されるものではなく、例えば第２のエレメント固定用経糸３，４，５，７，８を、互いにエレメントＥを１個分ずつ位置をずらせて、隣り合う２個のエレメント上脚部Ｌ−１の上側にブリッジ状に跨がらせて順次走行させ、次いで次位のエレメントＥの下脚部Ｌ−２の下側に配されるダブルピックの地緯糸２１の下側を走行させて、これをファスナーストリンガーの長手方向に繰り返す。すなわち、第２のエレメント固定用経糸３，４，５，７，８は高−高−低の繰り返し（リピート）単位をなして走行させるようにしてもよい。また、第３エレメント固定用経糸１０〜１３を、上述した第２エレメント固定用経糸３，４，５，７，８の走行単位、すなわち「高−高−中−低」或いは「高−高−低」の繰り返し（リピート）単位で繰り返し走行させることもできる。
【００３５】
本実施例による織り込みスライドファスナーは、以上のような構成を備えているため、ファスナーエレメント列Ｅに連続して配される各エレメントＥの上脚部Ｌ−１を跨いで走行するエレメント固定用経糸のうち、特に最も噛合頭部Ｈに近い端部と連結部Ｊに近い端部を走行する第１及び第３のエレメント固定用経糸２，１３は、各エレメントＥの上脚部Ｌ−１を跨いで、ファスナーテープＴの幅方向に折れ曲がり、地緯糸２１と一緒になって他の第２及び第３のエレメント固定用経糸３，４，５，７，８；１０〜１２及び地経糸６，９，１４〜２０と交絡しながら織り込まれるため、前記第２及び第３のエレメント固定用経糸４，５，７，８をテープ主体部ＴＢの耳部の方へ引き締めるため、同第１及び第３のエレメント固定用経糸２，１３は勿論のこと、他の第２及び第３のエレメント固定用経糸３，４，５，７，８；１０〜１２に対しても各エレメントＥに横ずれが生じず、しかも噛合頭部寄り及び連結部寄りのエレメント固定用経糸２，１３がエレメントＥから脱落するようなことがなくなる。
【００３６】
更に、前述の構成により、ファスナーエレメント列ＥＲの織り込み姿勢が安定化され、スライドファスナーの使用中に噛合割れが発生することもなく、また隣り合う２個のエレメントＥ間に特にエレメント固定用経糸２；３，４，５，７，８；１０〜１３を拘束するような他の織糸を織り込むこともないため、柔軟性に優れ、例えば図６に示すように噛合時においてスライダーＳ内において隣り合う２個の噛合頭部Ｈの間の一時的な拡開が容易であり、相手側のエレメントＥの噛合頭部Ｈとの噛合が円滑に行うことができ、スライダーの軽快な摺動操作を可能にするスライドファスナー製品が得られる。
【００３７】
なお、本実施例では、ファスナーエレメント列ＥＲの織り込み固定区域において、ファスナーテープＴの最端縁に配される地経糸１はダブルピックによる緯糸２１と平織り組織で織り込まれており、他の２本の地経糸６，９は上記４本の第２固定用経糸３，４，５，７，８の中間と、第２固定用経糸３，４，５，７，８と第３のエレメント固定用経糸１０〜１３との境界区域とに配され、適宜個所で上記テープ幅方向に走行する第１エレメント固定用経糸２，３と共に併送する地緯糸２１と交絡させている。この構成により、ファスナーエレメント列ＥＲはファスナーテープＴの上面に載置した形態に構成される。
【００３８】
なお、本実施例にあってエレメントＥの噛合頭部Ｈに２番目に近い端部を走行する第２のエレメント固定用経糸３は、１個のエレメントＥの上脚部Ｌ−１の上側を跨いだのち、次位のエレメントＥの下脚部Ｌ−２の下側に配されるダブルピックの地緯糸２１の下側を潜り、次いでその次のエレメントＥの上脚部Ｌ−１の上側を跨ぎ、これを交互に繰り返してファスナーテープＴに織り込まれている。
【００３９】
前記エレメントＥの噛合頭部Ｈに最も近い端部を走行する第１エレメント固定用経糸２は、前記エレメント固定用経糸３がエレメント下脚部Ｌ−２の下側を潜る部分のエレメントＥの上脚部を跨いで走行したのち、次位のエレメントＥとの間で前記エレメント固定用経糸３の下側に入り、そこでテープＴの幅方向に折り曲げられて、上記エレメントＥの連結部Ｊに最も近い位置を走行する第３エレメント固定糸１３を除いて、第２及び第３のエレメント固定用経糸４，５，７，８；１０〜１２及び地経糸１４〜２０に交絡しながら地緯糸２１と共に走行する。
【００４０】
かかる構成によって、ファスナーエレメント列ＥＲの各エレメント上脚部Ｌ−１の上側の噛合頭部寄りの最端部に配されるエレメント固定用経糸２は、噛合頭部側へ脱落することなく、また他の全てのエレメント固定用経糸３；４，５，７，８；１０〜１２を引き締め、それらの横ずれが生じることを防止する。
【００４１】
以上は、本発明について代表的な実施例を挙げて説明したが、これに限るものではなく、例えばエレメント上脚部の連結部寄りに配するエレメント固定用経糸を除く、その他の上脚部上側に配するエレメント固定用経糸がエレメント上脚部の上側を跨いで地組織と一体に織り込まれる限り、いかなる走行タイプのものでもよく、また経糸の本数や太さは、使用するファスナーエレメント列の寸法や、ファスナーとしての係着力、その他の機能を考慮して任意に決定されるものである。
【図面の簡単な説明】
【図１】本発明の実施例である織り込みスライドファスナーのストリンガーの一部を切断して示す概略部分平面図である。
【図２】同部分斜視図である。
【図３】スライドファスナーのスライダーによる閉鎖時の噛合エレメントの挙動説明図である。
【符号の説明】
１，１４〜２０          地経糸
２                      第１のエレメント固定用経糸
３，４，５，７，８      第２のエレメント固定用経糸
６，９                  地経糸
１０〜１３              第３のエレメント固定用経糸
２１                    地緯糸
ＥＲ                    エレメント列
Ｅ                      エレメント（単位）
Ｈ                      噛合頭部
Ｌ−１                  上脚部
Ｌ−２                  下脚部
Ｊ                      連結部
Ｓ                      スライダー
ＴＢ                    ファスナーテープ主体部
ＴＥ                    ファスナーエレメント列の織り込み固定区域
【図１】
0003617598.tif 000002
【図２】
0003617598.tif 000003
【図３】
0003617598.tif 000004